(57)【要約】【課題】      πウォーターを現地で製造し、これを直接流出させることによって販売する形態を採用し、πウォーターのイメージに叶った販売形態の実現により、πウォーターの普及を飛躍的に向上させることができるπウォーターの自動販売装置を提供する。【解決手段】  浄水供給路の途中に設けたπウォーター浄水器３を通過して製造されたπウォーターを溜める貯水タンク４に、ポンプ９とプレフィルター１０及び電磁バルブ１１を介して販売機本体１３に取り付けた自由可動するジャバラタイプの蛇口１２を接続し、コイン投入口に投入したコインの検出によって、自動制御機構で上記電磁バルブ１１を開弁すると共にポンプ９を作動させ、該蛇口１２からπウォーターを流出させることによって販売する。【選択図】    図１
2005050261.tif 000002
【特許請求の範囲】
【請求項１】
浄水供給路の途中に設けたπウォーター浄水器を通過して製造されたπウォーターを溜める貯水タンクに、ポンプとプレフィルター及び電磁バルブを介し自由可動するジャバラタイプの蛇口を接続し、コイン投入口に投入したコインの検出によって、上記電磁バルブを開弁すると共にポンプを作動させ、蛇口からπウォーターを流出させる自動制御機構を備え、この自動制御機構が、コインの投入金額に応じた量のπウォーターを流出させるようになっているπウォーターの自動販売装置。
【請求項２】
上記自動制御機構のコインの投入金額に応じたπウォーターを流出し、予め測定した流量に基づくタイマーの設定時間だけ電磁バルブを開弁することによって行う請求項１に記載のπウォーターの自動販売装置。
【発明の詳細な説明】
【技術分野】
【０００１】
この発明は、πウォーターをコインの投入金額に応じた量を販売することができるようにしたπウォーターの自動販売装置に関する。
【背景技術】
【０００２】
πウォーターは、非イオン化水であり、化学反応を起こさず、腐敗しにくい特性をもち、例えば、飲用や料理に用いると、体内への摂取が効率よく行われ、味が円やかで美味しくなり、酸化を防いで日持ちを良くする等の効果があり、近年、母なる水として注目を集めている水である。
【０００３】
πウォーターの製造は、浄水をπウォーター浄水器に通すことによって得られるが、一般家庭でのπウォーター浄水器の設置は、πウォーター浄水器が比較的高価なものであるので、経済的な負担が大きくなると共に、浄水供給源との配管による接続工事やπウォーター浄水器の設置スペースの確保等の付随する幾つかの問題があり、これが一般家庭でのπウォーターの普及を困難にしている原因になっている。
【０００４】
従来、各種水製品の販売形態として、水製品を容器に充填した荷姿とし、これを自動販売機により、コインの投入によって販売する形態が一般に採られている（特許文献１参照）。
【０００５】
【特許文献１】特開２００３−４４９１３号公報（第１頁、図１参照）
【発明の開示】
【発明が解決しようとする課題】
【０００６】
ところで、容器に充填した水製品の販売形態は、水製品に対して容器が余分に必要となり、飲用後にこの容器は投棄されることになるので、地球資源と経済の両面において無駄を生じることになる。
【０００７】
また、πウォーターのように、身体によい水は容器に充填した荷姿がイメージ的に合わないため、従来のような容器に充填した荷姿での自動販売機による販売は消費者に受け入れられない状況にあり、このような点においてもπウォーターの普及を困難にしている。
【０００８】
そこで、この発明の課題は、自動販売機を設置した現地においてπウォーターを製造し、これを直接流出させることによって販売する形態を採用し、容器によって生じた無駄を解消すると共に、πウォーターのイメージに叶った販売形態の実現により、πウォーターの普及を飛躍的に向上させることができるπウォーターの自動販売装置を提供することにある。
【課題を解決するための手段】
【０００９】
上記のような課題を解決するため、この発明は、浄水供給路の途中に設けたπウォーター浄水器を通過して製造されたπウォーターを溜める貯水タンクに、ポンプとプレフィルター及び電磁バルブを介して自由可動するジャバラタイプの蛇口を接続し、コイン投入口に投入したコインの検出によって、上記電磁バルブを開弁すると共にポンプを作動させ、自由可動するジャバラタイプの蛇口からπウォーターを流出させる自動制御機構を備え、この自動制御機構が、コインの投入金額に応じた量のπウォーターを流出させるようになっている構成を採用したものである。
【００１０】
上記自動制御機構のコインの投入金額に応じたπウォーターを流出し、予め測定した流量に基づくタイマーの設定時間だけ電磁バルブを開弁することによって行うことができるようにする。
【００１１】
上記浄水供給路は、水道水等の浄水をプレフィルターを通して貯水タンクに溜め、この浄水をポンプでプレフィルターを介してπウォーター浄水器に供給するようになっており、πウォーター浄水器を通過することによって製造されたπウォーターは貯水タンクに溜める。
【００１２】
自動販売機には、複数の自由可動するジャバラタイプの蛇口を設け、各蛇口はポンプとプレフィルター及び電磁バルブを介してπウォーターの貯水タンクと接続され、各蛇口は少量販売用と大量販売用に分けられ、各蛇口の近接位置にコイン投入口が設置され、自動制御機構は、このコイン投入口に販売量に適応した金額のコインが投入されることにより、各蛇口から所定量のπウォーターを販売するようになっている。
【発明の効果】
【００１３】
以上のように、この発明によると、πウォーター浄水器を通過して製造されたπウォーターを溜める貯水タンクに、ポンプとプレフィルター及び電磁バルブを介して蛇口を接続し、コイン投入口に投入したコインの検出によって、上記電磁バルブを開弁すると共にポンプを作動させ、コインの投入金額に応じた量のπウォーターを流出させるようにしているので、自動販売機を設置した現地においてπウォーターを製造し、これを直接流出させることによって販売することができ、容器詰販売の形態によって生じた容器の無駄を解消すると共に、現地での製造販売はπウォーターのイメージに叶った販売形態を実現させることができ、これにより、πウォーターの普及を飛躍的に向上させることができる。
【発明を実施するための最良の形態】
【００１４】
以下、この発明の実施の形態を図示例と共に説明する。
【００１５】
図１と図２に示すように、自動販売装置は、πウォーターの製造設備１と、製造されたπウォーターを販売する自動販売機２で構成され、πウォーターの製造設備１は、浄水供給路の途中に設けたπウォーター浄水器３を通過して製造されたπウォーターを貯水タンク４に溜めるようになっており、浄水供給路は、水道水等の浄水をプレフィルター５を通して貯水タンク６に溜め、この浄水をポンプ７で軟水器１７、プレフィルター８を介してπウォーター浄水器３に供給するようになっている。
【００１６】
上記πウォーター浄水器３は、図示省略したが、例えば、ケース内に、π化抗菌セラミック、π化ＧＲセラミック、π化カルシウム、脱塩素剤、π化活性炭、π化天然石セラミック、π化ｐＨ調整セラミック等の濾材を積層し、浄水がこの濾材群を通過することによりπウォーターが製造されることになる。
【００１７】
上記自動販売機２の内部には、πウォーターを溜める貯水タンク４に接続した取り出し管路の途中に設けたポンプ９とプレフィルター１０及び電磁バルブ１１及び、図示省略した自動制御機構が収納され、上記電磁バルブ１１に接続した蛇口１２が販売機本体１３に外部から開閉操作できるように取り付けられ、この販売機本体１３には蛇口１２の近接位置にコイン投入口１４が設けられている。
【００１８】
尚、建物と一体型の自動販売機２では建物内にすべてポンプ９やプレフィルター１０などのシステムの設置が可能であり、自動販売機２のみを建物外に設置して、ポンプ９やプレフィルター１０などのシステムを建物内に設置することも可能である。この場合自動販売機２内は配管とコインボックスのみとすることも可能である。
【００１９】
上記自動制御機構は、コイン投入口１４に投入したコインをコインボックスで検出し、コインボックスから所定金額のコインの検出信号の入力によって作動し、上記電磁バルブ１１を開弁すると共にポンプ９を作動させ、蛇口１２からコインの投入金額に応じた量のπウォーターを流出させるようになっている。
【００２０】
尚、蛇口１２は基本的には自動販売機２内では自由に可動するジャバラ式の蛇口で、店舗用は開閉栓式の蛇口である。
【００２１】
図示の場合、自動販売機２の販売機本体１３の下部には、三個の自由可動するジャバラタイプの蛇口１２を設け、各蛇口１２はポンプ９とプレフィルター１０及び電磁バルブ１１を介してπウォーターの貯水タンク４と接続され、各蛇口１２は少量販売用と大量販売用に分けられ、各蛇口１２の直上位置にコイン投入口１４が設置され、販売機本体１３のコイン投入口１４の近接位置に投入金額と販売量を明示すると共に、上記自動制御機構は、このコイン投入口１４に販売量に適応した金額のコインが投入されることにより、各蛇口１２から所定量のπウォーターを販売するようになっている。
【００２２】
上記自動制御機構のコインの投入金額に応じてπウォーターの販売は、コイン投入口１４に所定金額のコインが投入されると、予め測定した流量に基づくタイマーの設定時間だけこのタイマーで電磁バルブ１１を開弁してポンプ９を起動させることによって行うようになっている。
【００２３】
なお、販売機本体１３は、一時停止ボタン１５とその下部にスタートボタン１６を設けている。一時停止ボタン１５を押すと、タイマーは停止して電磁バルブ１１が閉弁し、ポンプ９が停止することによりπウォーターの販売が一時停止すると共に、スタートボタン１６を再び押すと電磁バルブ１１を開弁させてポンプ９を回転させ、残量分のπウォーターを流出させるようになっている。
【００２４】
図２は、上記のようなπウォーターの製造設備１によるπウォーターを自動販売機２による販売と同時に、店舗での使用に対応することができるようにした例を示し、πウォーターを溜める貯水タンク４にポンプ１８とプレフィルター１９を介して開閉栓２０を接続し、開閉栓２０を開くことによってπウォーターを取り出すことができると共に、温水のπウォーターを取り出す場合は、減圧弁２１とボイラー２２を組み込むようにすればよい。
【００２５】
尚、図２では図示省略したが、プレフィルター１０と１９の後に紫外線殺菌装置を付設した方が好ましい。
【００２６】
この発明の自動販売機は、上記のような構成であり、自動販売機２を店頭に設置すると共に、建物にπウォーターの製造設備１を配置し、πウォーターの製造設備１によって販売現場で製造されたπウォーターを貯水タンク４に溜めておく。
【００２７】
購入者は、持参した容器を自動販売機２の蛇口１２の直下に設置して、コイン投入口１４に所定金額のコイン投入により所定時間蛇口を開く。
【００２８】
コインボックスから所定金額のコインの検出信号が自動制御機構に入力されると、自動制御機構は電磁バルブ１１を開弁させると共にポンプ９を起動させ、同時にタイマーがカウントを開始することにより、蛇口１２からπウォーターが流出し、容器内に収納される。
【００２９】
所定時間が経過すると、タイマーが電磁バルブ１１を閉弁させると共にポンプ９を停止させ、蛇口１２からπウォーターの流出を止めることにより、所定量のπウォーターを販売することができる。
【図面の簡単な説明】
【００３０】
【図１】πウォーターの自動販売装置を示す自動販売機の正面図
【図２】πウォーターの自動販売装置の構造を示す説明図
【符号の説明】
【００３１】
１        πウォーターの製造設備
２        自動販売機
３        πウォーター浄水器
４        貯水タンク
５        プレフィルター
６        貯水タンク
７        ポンプ
８        プレフィルター
９        ポンプ
１０      プレフィルター
１１      電磁バルブ
１２      自由可動するジャバラタイプの蛇口
１３      販売機本体
１４      コイン投入口
１５      一時停止ボタン
１６      スタートボタン
１７      軟水器
１８      ポンプ
１９      プレフィルター
２０      開閉栓
２１      減圧弁
２２      ボイラー
【図１】
2005050261.tif 000003
【図２】
2005050261.tif 000004